(57)【要約】【課題】消去可能なユーザー表記によって、排紙トレイに出力された記録紙を簡単に識別することができる画像形成装置を提供する。【解決手段】消色されることがない通常の着色物質を用いる第１の記録部１０によって印刷データを印刷するカラープリンター１であって、所定の条件で消色する着色物質を用いる第２の記録部３０と、印刷データの印刷を指示したユーザーを特定するユーザー表記を生成するユーザー表記生成部と、ユーザー表記生成部によって生成されたユーザー表記を第２の記録部３０によって第１の記録部１０の印刷範囲外に印刷させるユーザー表記印刷制御部とを備えている。第２の記録部３０で用いられる着色物質は熱によって消色する消色インクであり、第１の記録部１０によって印刷を行った記録紙Ｐの温度を消色インクが消色する反応温度未満に冷却する冷却装置２０を具備する。【選択図】図１
2018001513.tif 000002
【特許請求の範囲】
【請求項１】
消色されることがない通常の着色物質を用いる第１の記録部によって印刷データを印刷する画像形成装置であって、
所定の条件で消色する着色物質を用いる第２の記録部と、
前記印刷データの印刷を指示したユーザーを特定するユーザー表記を生成するユーザー表記生成部と、
前記ユーザー表記生成部によって生成された前記ユーザー表記を前記第２の記録部によって前記第１の記録部の印刷範囲外に印刷させるユーザー表記印刷制御部とを具備することを特徴とする画像形成装置。
【請求項２】
前記第２の記録部で用いられる着色物質は熱によって消色する消色インクであり、
前記第１の記録部によって印刷を行った記録紙の温度を前記消色インクが消色する反応温度未満に冷却する冷却装置を具備し、
前記第２の記録部は、前記冷却装置によって冷却された記録紙に印刷を行うことを特徴とする請求項１記載の画像形成装置。
【請求項３】
前記第１の記録部及び前記第２の記録部は、カラー印刷に対応しており、
前記印刷データの文面中に使用されている色を解析する色解析部を具備し、
前記ユーザー表記印刷制御部は、前記印刷データの文面中に使用されていない色で前記ユーザー表記を印刷させることを特徴とする請求項１又は２記載の画像形成装置。
【請求項４】
前記ユーザー表記印刷制御部は、前記印刷データの文面中に使用されている色から色距離が予め設定された閾値以上の離れた色で前記ユーザー表記を印刷させることを特徴とする請求項３記載の画像形成装置。
【請求項５】
前記印刷データの文面中の文字列を解析し、前記ユーザー表記があるか否かを判断する文字列解析部を具備し、
前記ユーザー表記生成部は、前記印刷データの文面中に前記ユーザー表記がある場合、前記ユーザー表記の代わりに前記印刷データの文面中の前記ユーザー表記を指し示す案内表記を生成し、
前記ユーザー表記印刷制御部は、前記ユーザー表記生成部によって生成された前記案内表記を第２の記録部によって前記印刷データの文面中に印刷させることを特徴とする請求項１乃至４のいずれかに記載の画像形成装置。
【請求項６】
前記第２の記録部による主走査方向の印刷幅は、前記第１の記録部による主走査方向の印刷幅よりも狭く、前記第２の記録部によって印刷可能な印刷領域が主走査方向で変更可能に構成されていることを特徴とする請求項１乃至５のいずれかに記載の画像形成装置。
【発明の詳細な説明】
【技術分野】
【０００１】
本発明は、記録紙にユーザー識別用の目印を印刷して排紙トレイに排出する画像形成装置に関する。
【背景技術】
【０００２】
ＬＡＮ（Local Area Network）等のネットワーク上の画像形成装置では、周辺端末から受信した印刷ジョブによって印刷した記録紙を共通の排紙トレイに順次出力するのが一般的である。そのため、ユーザーは印刷装置の排紙トレイに積み上げられた記録紙の中から、自身の印刷ジョブによって出力させた記録紙を識別する必要がある。そこで、線状の目印をジョブ毎に異なる位置にスライドさせて記録紙の側面に記録する技術や、印刷部数毎に仕切紙を挿入する技術が提案されている（例えば、特許文献１、２を参照）。
【先行技術文献】
【特許文献】
【０００３】
【特許文献１】特開２００６−１５９５６２号公報
【特許文献２】特開２００４−２２４５１８号公報
【発明の概要】
【発明が解決しようとする課題】
【０００４】
しかしながら、特許文献１の技術では、線状の目印が記録紙の側面に視認可能な状態で印刷されているため、印刷物を原稿として使用することができない。また、特許文献２の技術では、目印として挿入した仕切紙が無駄になる。仕切紙を再利用するためには、印刷装置のカセット等に戻す煩雑な作業が必要になる。
【０００５】
本発明は、上記課題に鑑みてなされたものであり、消去可能なユーザー表記によって、排紙トレイに出力された記録紙を簡単に識別することができる画像形成装置を提供することを目的とする。
【課題を解決するための手段】
【０００６】
本発明の画像形成装置は、消色されることがない通常の着色物質を用いる第１の記録部によって印刷データを印刷する画像形成装置であって、所定の条件で消色する着色物質を用いる第２の記録部と、前記印刷データの印刷を指示したユーザーを特定するユーザー表記を生成するユーザー表記生成部と、前記ユーザー表記生成部によって生成された前記ユーザー表記を前記第２の記録部によって前記第１の記録部の印刷範囲外に印刷させるユーザー表記印刷制御部とを具備することを特徴とする。
さらに、本発明の画像形成装置において、前記第２の記録部で用いられる着色物質は熱によって消色する消色インクであり、前記第１の記録部によって印刷を行った記録紙の温度を前記消色インクが消色する反応温度未満に冷却する冷却装置を具備し、前記第２の記録部は、前記冷却装置によって冷却された記録紙に印刷を行っても良い。
さらに、本発明の画像形成装置において、前記第１の記録部及び前記第２の記録部は、カラー印刷に対応しており、前記印刷データの文面中に使用されている色を解析する色解析部を具備し、前記ユーザー表記印刷制御部は、前記印刷データの文面中に使用されていない色で前記ユーザー表記を印刷させても良い。
さらに、本発明の画像形成装置において、前記ユーザー表記印刷制御部は、前記印刷データの文面中に使用されている色から色距離が予め設定された閾値以上の離れた色で前記ユーザー表記を印刷させても良い。
さらに、本発明の画像形成装置において、前記印刷データの文面中の文字列を解析し、前記ユーザー表記があるか否かを判断する文字列解析部を具備し、前記ユーザー表記生成部は、前記印刷データの文面中に前記ユーザー表記がある場合、前記ユーザー表記の代わりに前記印刷データの文面中の前記ユーザー表記を指し示す案内表記を生成し、前記ユーザー表記印刷制御部は、前記ユーザー表記生成部によって生成された前記案内表記を第２の記録部によって前記印刷データの文面中に印刷させても良い。
さらに、本発明の画像形成装置において、前記第２の記録部による主走査方向の印刷幅は、前記第１の記録部による主走査方向の印刷幅よりも狭く、前記第２の記録部によって印刷可能な印刷領域が主走査方向で変更可能に構成されていても良い。
【発明の効果】
【０００７】
本発明によれば、消去可能なユーザー表記によって、排紙トレイに出力された記録紙Ｐを簡単に識別することができ、排紙トレイに排出された記録紙Ｐの取り忘れによる放置や、他のユーザーが誤って持ち去ることを防止することができるという効果を奏する。
【図面の簡単な説明】
【０００８】
【図１】本発明に係る画像形成装置の実施の形態の内部構成を示す概略模式断面図である。
【図２】図１に示す第２の記録部の概略構成を示す側面図及び上面図である。
【図３】図１に示す画像形成装置の概略構成を示すブロック図である。
【図４】図３に示す記憶部に記憶されたユーザー情報例を示す図である。
【図５】本発明に係る画像形成装置の実施の形態によるユーザー表記印刷動作を説明するフローチャートである。
【図６】本発明に係る画像形成装置の実施の形態によるユーザー表記印刷動作で印刷されたユーザー表記例を示す図である。
【図７】本発明に係る画像形成装置の実施の形態によるユーザー表記印刷動作で印刷された案内表記例を示す図である。
【発明を実施するための形態】
【０００９】
次に、本発明の実施の形態を、図面を参照して具体的に説明する。
本実施の形態の画像形成装置は、カラープリンター１であり、図１を参照すると、熱によって消色しない着色物質である通常のトナーを用いてカラー印刷を行う第１の記録部１０と、冷却装置２０と、熱によって消色する着色物質である消色インクを用いてカラー印刷を行う第２の記録部３０と、操作部５０とを備えている。
【００１０】
第１の記録部１０は、異なる４色Ｃ（シアン）、Ｍ（マゼンダ）、Ｙ（イエロー）、Ｋ（ブラック）のカラー画像データにそれぞれ対応する４つの画像形成部１０ａ、１０ｂ、１０ｃ及び１０ｄと、中間転写ベルト１７と、二次転写ローラー１８と、定着装置１９とを備えている。４つの画像形成部１０ａ、１０ｂ、１０ｃ及び１０ｄには、各色の可視像（トナー像）を担持する感光体ドラム１１と、感光体ドラム１１を帯電させる帯電装置１２と、感光体ドラム１１上にそれぞれトナー像を形成する現像装置１４と、感光体ドラム１１上のトナー像をそれぞれ中間転写ベルト１７に転写させる一次転写ローラー１５と、感光体ドラム１１上に残留した現像剤（トナー）を除去するクリーニング装置１６とがそれぞれ設けられている。
【００１１】
帯電装置１２は、感光体ドラム１１に当接して配置された帯電ローラーを備えている。定電圧電源から帯電ローラーに供給される定電圧によって、感光体ドラム１１の表面が均一に帯電される。また、第１の記録部１０には、画像形成部１０ａ、１０ｂ、１０ｃ及び１０ｄの帯電された感光体ドラム１１にそれぞれ画像情報を露光する露光ユニット１３と、中間転写ベルト１７とが設けられている。
【００１２】
中間転写ベルト１７は、４つの画像形成部１０ａ、１０ｂ、１０ｃ及び１０ｄの上部に隣接して設けられている。画像形成部１０ａ、１０ｂ、１０ｃ及び１０ｄのそれぞれで、現像装置１４によって感光体ドラム１１上に形成されたトナー像は、一次転写ローラー１５によって中間転写ベルト１７上に順次転写される。中間転写ベルト１７上に順次転写されたトナー像は、二次転写ローラー１８によって記録紙Ｐ上に一度に転写される。記録紙Ｐは、下部に配置された用紙カセット４０内に収容されており、給紙ローラー４１及びレジストローラー４２を介して二次転写ローラー１８へと記録紙搬送路４３を搬送される。
【００１３】
定着装置１９は、二次転写ローラー１８の記録紙搬送方向下流側に配置されており、トナー像が転写された記録紙Ｐに熱と圧力を同時に加え、トナーの樹脂成分を溶着させることで、転写されたトナー像を記録紙Ｐ上に定着させる。
【００１４】
冷却装置２０は、定着装置１９の記録紙搬送方向下流側に配置されており、定着装置１９によって加熱された記録紙Ｐの温度が、第２の記録部３０で用いられる消色インクが消色する反応温度未満になるように冷却する。冷却装置２０は、例えば、内部に冷却水を循環させた冷却ローラーと冷却加圧ローラーとで記録紙Ｐを圧接する構成とすることができる。なお、冷却装置２０をファン等の送風手段とし、送風によって記録紙Ｐを冷却するようにしても良い。
【００１５】
第２の記録部３０は、冷却装置２０の記録紙搬送方向下流側に配置されており、搬送される記録紙Ｐに消色インクを用いて印刷を行う。消色インクは、加熱することによって無色化するインクである。消色インクとしては、例えば、無色の色素と、無色の色素との結合によって発色させる顕色剤と、加熱によって無色の色素との結合が切れた顕色剤を捕捉する消色剤とで構成することができる。
【００１６】
第２の記録部３０は、図２（ａ）（ｂ）を参照すると、キャリッジ３１と、キャリッジ３１の下面側に配設された印刷ヘッド３２と、キャリッジ３１の上部に着脱可能に取り付けられ、印刷ヘッド３２に消色インクを供給するインクカートリッジ３３とを備えている。キャリッジ３１は、キャリッジモータ３４によって駆動される駆動プーリ３５と従動プーリ３６とで張設された無端のタイミングベルト３７に取り付けられ、記録紙搬送方向と直交する主走査方向に往復動可能に構成されている。
【００１７】
印刷ヘッド３２及びインクカートリッジ３３は、異なる４色Ｃ（シアン）、Ｍ（マゼンダ）、Ｙ（イエロー）、Ｋ（ブラック）のカラー画像データにそれぞれ対応して設けられている。印刷ヘッド３２は、熱を用いることないピエゾ方式でノズルから記録紙Ｐに消色インクを吐出する。印刷ヘッド３２は、複数のノズルが主走査方向に配列された、いわゆるラインヘッドであり、キャリッジ３１が静止された状態で、搬送される記録紙Ｐに印刷を行う。印刷ヘッド３２による主走査方向の印刷幅は、第１の記録部１０による主走査方向の印刷幅よりも狭く、キャリッジ３１を主走査方向に移動させることで、印刷ヘッド３２によって印刷可能な印刷領域が主走査方向で変更可能に構成されている。
【００１８】
第２の記録部３０の記録紙搬送方向下流側には、排出ローラー４４が配設されており、第２の記録部３０で印刷が施された記録紙Ｐは、排出ローラー４４によって排紙トレイ４５に排出される。
【００１９】
操作部５０には、タッチパネル５１、操作ボタン５２、カード情報読取部５３が設けられている。ユーザーは操作部５０を操作して指示を入力することで、カラープリンター１の各種の設定を行い、画像形成等の各種機能を実行させる。タッチパネル５１は、カラープリンター１の状態を示したり、画像形成状況や印刷部数を表示したり、白倍率設定、濃度設定など各種設定を行えるようになっている。操作ボタン５２としては、画像形成の開始を指示するスタートボタン、画像形成の中止を指示するストップボタン、カラープリンター１の各種設定をデフォルト状態にする際に使用するリセットボタン等が設けられている。カード情報読取部５３は、ＮＦＣ（Near field radio communication）等の近距離無線通信技術を用いて、ユーザーのＩＤカードから認証情報を読み取る。
【００２０】
図３には、カラープリンター１の概略構成を示すブロック図が示されている。カラープリンター１内には、各構成要素（第１の記録部１０、第２の記録部３０、操作部５０等）を制御する制御部３が備えられている。制御部３は、ＣＰＵ（Central Processing Unit）、ＲＯＭ（Read Only Memory）、ＲＡＭ（Random Access Memory）等を備えたマイクロコンピューター等の情報処理部である。ＲＯＭには画像形成装置の動作制御を行うための制御プログラムが記憶されている。制御部３は、ＲＯＭに記憶されている制御プログラムを読み出し、制御プログラムをＲＡＭに展開させることで、印刷ジョブに応じて各構成要素を制御して第１の記録部１０による一連の画像形成動作を実現すると共に、印刷データ解析部４、ユーザー表記生成部５、ユーザー表記印刷制御部６として機能する。
【００２１】
また、制御部３には、通信部６０と、記憶部７０とに接続されている。通信部６０は、ＬＡＮ等のネットワーク６１を介して、パーソナルコンピュータ等のユーザー端末６２との間で各種データを送受信する機能を有し、印刷データを含む印刷ジョブをユーザー端末６２から受信する。
【００２２】
記憶部７０は、半導体メモリやＨＤＤ（Hard Disk Drive）等の記憶手段であり、通信部６０によって受信した印刷ジョブが蓄積される記憶手段である。また、記憶部７０には、ユーザー情報７１が記憶されている。ユーザー情報７１は、図４に示すように、ユーザーに割り当てられた固有番号である「ユーザーＩＤ」と、ユーザーの「氏名」と、ユーザーの所属先を示す「部署情報」と、「表記情報」とからなる。「表記情報」は、第２の記録部３０によって印刷するユーザー表記を設定する情報である。ユーザー表記は、排紙トレイ４５に排出された記録紙Ｐを識別するためのものであり、ユーザー表記によって、印刷ジョブの実行を指示して排紙トレイ４５に記録紙Ｐを排出させたユーザーを容易に特定することができる。本実施の形態では、「表記情報」は、ユーザー表記として印刷する情報を設定する「表記内容」と、ユーザー表記の色を設定する「色」と、ユーザー表記の印刷位置を設定する「配置」と、ユーザー表記の印刷頁を設定する「印刷頁」と、ユーザー表記として文面（印刷データ）を利用するか否かを設定する「文面利用」とからなる。
【００２３】
次に、本実施の形態のカラープリンター１における第２の記録部３０を用いたユーザー表記印字動作について図５乃至図７を参照して詳細に説明する。
制御部３は、印刷ジョブの実行に際し、印刷指示が遠隔指示か否かを判断する（ステップＳ０１）。例えば、制御部３は、ユーザー端末６２から受信した印刷ジョブに基づく実行である場合には、遠隔指示と判断し、操作部５０の操作に基づく印刷ジョブの実行である場合には、遠隔指示ではないと判断する。
【００２４】
ステップＳ０１で遠隔指示ではない場合、印刷指示を行ったユーザーがカラープリンター１の前にいて、排紙トレイ４５に排出された記録紙Ｐをすぐに入手できる状態にあるため、制御部３は、第２の記録部３０を用いたユーザー表記印刷動作を実行することなく、第１の記録部３０を用いた通常印刷を行う。この場合には、冷却装置２０は稼働されない。
【００２５】
ステップＳ０１で遠隔指示である場合、制御部３は、印刷データ解析部４として機能する。印刷データ解析部４は、印刷ジョブを送信したユーザーのユーザー情報７１を記憶部7から読み出すと共に（ステップＳ０２）、ユーザー表記の印刷頁を設定する「印刷頁」で設定された頁に対して印刷ジョブの印刷データに使用されている色や文字列を解析する（ステップＳ０３）。そして、印刷データ解析部４は、「表記情報」の「印刷頁」で設定された頁に使用されている色に、「表記情報」の「色」で設定された色と同一色があるか否かを判断する（ステップＳ０４）。印刷データ解析部４は、例えば、色距離によって同一色か否かを判断し、色距離が予め設定された第１閾値以下である場合に同一色と判断する。
【００２６】
ステップＳ０４で同一色がある場合、印刷データ解析部４は、「表記情報」の「色」で設定された色を変更する（ステップＳ０５）。ステップＳ０５での色の変更は、例えば、「表記情報」の「印刷頁」で設定された頁の文面に使用されている色から、色距離が予め設定された第２閾値（＞第１閾値）以上の離れた色に変更する。
【００２７】
次に、印刷データ解析部４は、「表記情報」の「文面利用」が許可されているか否かを判断する（ステップＳ０６）。なお、ステップＳ０４で同一色がない場合には、ステップＳ０５で色の変更を行うことなく、ステップＳ０６に至る。
【００２８】
ステップＳ０６で「文面利用」が不許可である場合、制御部３は、ユーザー表記生成部５として機能し、ユーザー情報７１の「表記情報」に基づくユーザー表記を生成する（ステップＳ０８）。ユーザー表記生成部５は、「表記情報」の「表記内容」及び「色」（もしくはステップＳ０５で変更された色）に基づくユーザー表記を生成する。
【００２９】
次に、制御部３は、ユーザー表記印刷制御部６として機能し、ステップＳ０８で生成したユーザー表記を消色インクで記録紙Ｐに印刷し（ステップＳ０９）、ユーザー表記印字動作を終了させる。ステップＳ０９においてユーザー表記印刷制御部６は、冷却装置２０を稼働させて記録紙Ｐを冷却させると共に、ユーザー情報７１の「表記情報」に基づいて、ステップＳ０８で生成されたユーザー表記を第２の記録部３０によって消色インクで冷却された記録紙Ｐに印刷する。ユーザー表記印刷制御部６は、「表記情報」の「配置」によって設定された印刷位置、且つ「表記情報」の「印刷頁」によって設定された印刷頁にユーザー表記を印刷する。なお、冷却装置２０によって記録紙Ｐが消色インクの反応温度未満に冷却されているため、第２の記録部３０によって消色インクで記録紙Ｐに印刷されたユーザー表記が定着装置１９から記録紙Ｐに加えられる熱によって消色されることがない。
【００３０】
図６（ａ）には、ユーザー情報７１の「表記内容」に基づき、「ユーザーＩＤ」００００２の「氏名」がユーザー表記として生成され、ユーザー情報７１の「配置」に基づいて、記録紙Ｐの第１の記録部１０による印刷領域Ｘ以外の上余白・右側に、生成したユーザー表記を第２の記録部３０によって印刷した例が示されている。
【００３１】
図６（ｂ）には、ユーザー情報７１の「表記内容」に基づき、「ユーザーＩＤ」００００３がユーザー表記として生成され、ユーザー情報７１の「配置」に基づいて、記録紙Ｐの第１の記録部１０による印刷領域Ｘ以外の下余白・左側に、生成したユーザー表記を第２の記録部３０によって印刷した例が示されている。
【００３２】
ステップＳ０６で「文面利用」が許可である場合、印刷データ解析部４は、印刷データの「印刷頁」で設定された頁の文面中に「表記内容」があるか否かを判断する（ステップＳ０７）。ステップＳ０７で印刷データの文面中に「表記内容」がない場合には（例えば、「文面利用」が許可である図４の「ユーザーＩＤ」０００１の「氏名」〇山  太郎の場合、ユーザー表記の印刷頁を設定する印刷データの「印刷頁」で設定された頁の文面中に「表記内容」の氏名である「〇山  太郎」の文字列がない場合には）、ステップＳ０８に至る。
【００３３】
ステップＳ０７で印刷データの文面中に「表記内容」がある場合、制御部３は、ユーザー表記生成部５として機能し、文面中のユーザー表記を指し示す案内表記を生成する（ステップＳ１０）。ユーザー表記生成部５は、「表記情報」の「色」（もしくはステップＳ０５で変更された色）で案内表記を生成する。案内表記は、文面中のユーザー表記を指し示す枠、下線、記号、文字であり、ユーザーによって設定可能に構成すると好適である。
【００３４】
次に、制御部３は、ユーザー表記印刷制御部６として機能し、ステップＳ１０で生成した案内表記を消色インクで記録紙Ｐに印刷し（ステップＳ１１）、ユーザー表記印字動作を終了させる。ステップＳ１１においてユーザー表記印刷制御部６は、冷却装置２０を稼働させて記録紙Ｐを冷却させると共に、文面中の「表記内容」の近傍に、ステップＳ１０で生成された案内表記を第２の記録部３０によって消色インクで冷却された記録紙Ｐに印刷する。なお、冷却装置２０によって記録紙Ｐが消色インクの反応温度未満に冷却されているため、第２の記録部３０によって消色インクで記録紙Ｐに印刷されたユーザー表記が定着装置１９から記録紙Ｐに加えられる熱によって消色されることがない。
【００３５】
図７（ａ）には、文面中の「ユーザーＩＤ」００００１の「氏名」を指し示す枠が案内表記として生成され、第２の記録部３０によって印刷した例が示されている。
【００３６】
図７（ｂ）には、文面中の「ユーザーＩＤ」００００１の「氏名」を指し示す二重下線が案内表記として生成され、第２の記録部３０によって印刷した例が示されている。
【００３７】
なお、本実施の形態では、第２の記録部３０において熱で消色する消色インクを使用したが、紫外線の照射で消色する消色インクや、時間の経過によって消色する消色インクを用いるようにしても良い。また、本実施の形態では、第２の記録部３０で用いる着色物質として消色インクを用いたが、消色トナー等の他の着色物質を用いるようにしても良い。さらに、ユーザーの設定により、ユーザー表記、案内表記の印刷可否を選択可能に構成すると良い。
【００３８】
以上説明したように、本実施の形態は、消色されることがない通常の着色物質を用いる第１の記録部１０によって印刷データを印刷するカラープリンター１であって、所定の条件で消色する着色物質を用いる第２の記録部３０と、印刷データの印刷を指示したユーザーを特定するユーザー表記を生成するユーザー表記生成部５と、ユーザー表記生成部５によって生成されたユーザー表記を第２の記録部３０によって第１の記録部１０の印刷範囲外に印刷させるユーザー表記印刷制御部６とを備えている。
この構成により、消去可能なユーザー表記によって、排紙トレイ４５に出力された記録紙Ｐを簡単に識別することができる。従って、排紙トレイ４５に排出された記録紙Ｐの取り忘れによる放置や、他のユーザーが誤って持ち去ることを防止することができる。そして、排紙トレイ４５に出力された記録紙Ｐを原稿として使用する際には、不要なユーザー表記を容易に削除できる。
【００３９】
さらに、本実施の形態によれば、第２の記録部３０で用いられる着色物質は熱によって消色する消色インクであり、第１の記録部１０によって印刷を行った記録紙Ｐの温度を消色インクが消色する反応温度未満に冷却する冷却装置２０を具備し、第２の記録部３０は、冷却装置２０によって冷却された記録紙Ｐに印刷を行う。
この構成により、第１の記録部１０としてトナーを熱定着させて印刷する電子写真プロセスを用いても、第２の記録部３０で熱によって消色する消色インクを用いた印刷方式を採用することができる。これにより、ユーザーは、記録紙Ｐに印刷されたユーザー表記を簡単に消色させることが可能になる。
【００４０】
さらに、本実施の形態によれば、第１の記録部１０及び第２の記録部３０は、カラー印刷に対応しており、印刷データの文面中に使用されている色を解析する色解析部として機能する印刷データ解析部４を備え、ユーザー表記印刷制御部６は、印刷データの文面中に使用されていない色でユーザー表記を印刷させる。
この構成により、ユーザー表記の視認性を高めることができる。
【００４１】
さらに、本実施の形態によれば、ユーザー表記印刷制御部６は、印刷データの文面中に使用されている色から色距離が予め設定された閾値以上の離れた色でユーザー表記を印刷させる。
この構成により、ユーザー表記の視認性をより高めることができる。
【００４２】
さらに、本実施の形態によれば、印刷データの文面中の文字列を解析し、ユーザー表記があるか否かを判断する文字列解析部として機能する印刷データ解析部４を備え、ユーザー表記生成部５は、印刷データの文面中にユーザー表記がある場合、ユーザー表記の代わりに印刷データの文面中の前記ユーザー表記を指し示す案内表記を生成し、ユーザー表記印刷制御部６は、ユーザー表記生成部５によって生成された案内表記を第２の記録部３０によって印刷データの文面中に印刷させる。
この構成により、文面中のユーザー表記を利用することができるため、第２の記録部３０で用いる消色インクの使用量を削減することができる。
【００４３】
さらに、本実施の形態によれば、第２の記録部３０による主走査方向の印刷幅は、第１の記録部１０による主走査方向の印刷幅よりも狭く、第２の記録部３０によって印刷可能な印刷領域が主走査方向で変更可能に構成されている。
この構成により、第２の記録部３０のコストを削減することができる。
【００４４】
なお、本発明が上記各実施の形態に限定されず、本発明の技術思想の範囲内において、各実施の形態は適宜変更され得ることは明らかである。
【符号の説明】
【００４５】
１  カラープリンター
３  制御部
４  印刷データ解析部
５  ユーザー表記生成部
６  ユーザー表記印刷制御部
１０  第１の記録部
１０ａ、１０ｂ、１０ｃ、１０ｄ  画像形成部
１１  感光体ドラム
１２  帯電装置
１３  露光ユニット
１４  現像装置
１５  一次転写ローラー
１６  クリーニング装置
１７  中間転写ベルト
１８  二次転写ローラー
１９  定着装置
２０  冷却装置
３０  第２の記録部
３１  キャリッジ
３２  印刷ヘッド
３３  インクカートリッジ
３４  キャリッジモータ
３５  駆動プーリ
３６  従動プーリ
３７  タイミングベルト
４０  用紙カセット
４１  給紙ローラー
４２  レジストローラー
４３  記録紙搬送路
４４  排出ローラー
４５  排紙トレイ
５０  操作部
５１  タッチパネル
５２  操作ボタン
５３  カード情報読取部
６０  通信部
６１  ネットワーク
６２  ユーザー端末
７０  記憶部
７１  ユーザー情報
【図１】
2018001513.tif 000003
【図２】
2018001513.tif 000004
【図３】
2018001513.tif 000005
【図４】
2018001513.tif 000006
【図５】
2018001513.tif 000007
【図６】
2018001513.tif 000008
【図７】
2018001513.tif 000009